(57)【要約】【課題】本発明は、誤った同期の処理を行うことなく、且つ同期までの無駄な時間を削減することができる通信装置を提供する。【解決手段】本発明は、複数の通信端末と、複数の通信端末間の同期を制御する制御端末とを備える通信装置である。そして、制御端末は、複数の通信端末間の同期を取るための同期フレームを、複数の通信端末に送信する手段を備える。また、複数の通信端末は、同期フレームを受信した所定の時点を仮同期として設定する仮同期設定手段（副タイマ４１４）と、受信した同期フレームに対して所定の処理を行い、当該同期フレームが正規で、且つ正しく受信されたと判断された場合に、仮同期を本同期として設定する本同期設定手段（正タイマ４１１）とをそれぞれ備える。【選択図】図４
2005354244.tif 000002
【特許請求の範囲】
【請求項１】
複数の通信端末と、前記複数の通信端末間の同期を制御する制御端末とを備える通信装置であって、
前記制御端末は、前記複数の通信端末間の同期を取るための同期フレームを、前記複数の通信端末に送信する手段を備え、
前記複数の通信端末は、受信した前記同期フレームの所定の時点で仮同期を設定する仮同期設定手段と、受信した前記同期フレームに対して所定の処理を行い、当該前記同期フレームが正規で、且つ正しく受信されたと判断された場合に、前記仮同期を本同期として設定する本同期設定手段とをそれぞれ備えることを特徴とする通信装置。
【請求項２】
請求項１に記載の通信装置であって、
前記仮同期設定手段は、受信した前記同期フレームの所定の時点でリセットされる第１のタイマを備え、
前記本同期設定手段は、受信した前記同期フレームが正規で、且つ正しく受信されたと判断された場合に、前記第１のタイマの値に置き換えられる第２のタイマを備えることを特徴とする通信装置。
【請求項３】
請求項２に記載の通信装置であって、
前記第１のタイマは、受信した前記同期フレームの所定の時点から前記本同期設定手段での判断時までの間、動作することを特徴とする通信装置。
【請求項４】
請求項２又は請求項３に記載の通信装置であって、
前記第１のタイマは、前記第２のタイマのカウント可能サイズより小さいことを特徴とする通信装置。
【請求項５】
請求項１乃至請求項４のいずれか１つに記載の通信装置であって、
受信した前記同期フレームの前記所定の時点は、前記同期フレームの始点又は終点であることを特徴とする通信装置。
【発明の詳細な説明】
【技術分野】
【０００１】
本発明は、通信装置に係る発明であって、特に、端末間で同期を取る必要がある通信装置に関するものである。
【背景技術】
【０００２】
端末間で通信する場合に、端末間で同期を取るための同期フレームを管理ノードから全ての端末に送信するような通信方式がある。このような通信方式として、例えばＴＤＭＡ（Time Division Multipl Access）通信などがある。なお、ＴＤＭＡ通信は、１つの周波数を短時間ずつ交代で複数の通信端末（以下、単に端末ともいう）で共有する通信方式である。
【０００３】
このＴＤＭＡ通信などでは、同期フレームの始点又は終点を端末間の同期の起点としている。つまり、管理ノードから送信されてきた同期フレームの始点又は終点に基づいて、各端末では通信のタイミングを取っている。ＴＤＭＡ通信での同期を取る方式については、特許文献１に詳しい説明がある。
【０００４】
【特許文献１】特開平４−３５８４３５号公報
【発明の開示】
【発明が解決しようとする課題】
【０００５】
しかし、同期フレームに対して復調や検査などの処理を行うこと無しに、同期フレームの始点又は終点に基づいて自動的に端末間の同期を取った場合、端末に無関係の同期フレームを受信し同期の処理を行う可能性があり、その結果、端子間の同期が崩れてしまう問題があった。
【０００６】
上記の場合に、無関係の同期フレームに基づく同期の失敗や、同期フレームの受信失敗などを事前に考慮して、同期の処理を行うことも可能であるが、考慮した分だけ同期を取るまでの時間が長くなり、実効スループットの低下を招く問題があった。
【０００７】
一方、同期フレームに対して復調や検査などの処理を行って、正規の同期フレームで、且つ正しく受信したことを確認した後に、端末間の同期を取る場合、復調や検査などの処理が完了するまでの待ち時間が生じ、同期を取るまでの時間が長くなる問題があった。
【０００８】
そこで、本発明は、誤った同期の処理を行うことなく、且つ同期までの無駄な時間を削減することができる通信装置を提供することを目的とする。
【課題を解決するための手段】
【０００９】
本発明に係る解決手段は、複数の通信端末と、複数の通信端末間の同期を制御する制御端末とを備える通信装置であって、制御端末は、複数の通信端末間の同期を取るための同期フレームを、複数の通信端末に送信する手段を備え、複数の通信端末は、受信した同期フレームの所定の時点で仮同期を設定する仮同期設定手段と、受信した同期フレームに対して所定の処理を行い、当該同期フレームが正規で、且つ正しく受信されたと判断された場合に、仮同期を本同期として設定する本同期設定手段とをそれぞれ備える。
【発明の効果】
【００１０】
本発明に記載の通信装置は、複数の通信端末が、受信した同期フレームの所定の時点で仮同期を設定する仮同期設定手段と、受信した同期フレームに対して所定の処理を行い、当該同期フレームが正規で、且つ正しく受信されたと判断された場合に、仮同期を本同期として設定する本同期設定手段とをそれぞれ備えるので、誤った同期の処理を行うことなく、且つ同期までの無駄な時間を削減できる効果がある。
【発明を実施するための最良の形態】
【００１１】
（実施の形態１）
本実施の形態では、無線のネットワークであるＷＰＡＮ（Wireless Personal Area Network）に用いられる通信装置を例に説明する。このＷＰＡＮでは、ＴＤＭＡ通信を用いて端末間の通信が行われている。なお、ＷＰＡＮにおいて、多数の端末をアクセスポイントの介在なしに相互に接続するようなアドホック（ad hoc）な形態を取る場合、特にピコネット（Piconet）と呼ばれている。
【００１２】
ＴＤＭＡ通信で端末間の通信を行う場合、各端末間の同期が取れており、且つ各端末において自ノードが送信可能である時間を把握する必要がある。そのため、各端末には、それぞれタイマが設けられる構成となる。このタイマは、理想的には全てが同じタイミングで時を刻むことが望ましいが、実際には、各端末のクロック源が異なる等により多少の誤差が生じる。そこで、端末間の同期を定期的に取ることにより、各端末間の誤差を低減している。具体的には、端末間の同期を制御する制御端末から、定期的に同期フレームを送信し、各端末で同期の処理を行う。なお、ピコネットにおいて、制御端末はＰＮＣ（PicoNet Coordinator）と、同期フレームは、ビーコンフレームと呼ばれている。
【００１３】
図１に、ビーコンフレームのタイムチャートを示す。図１では、各端末の同期を取るため、定期的にビーコンフレームが送信されている様子が示されている。ビーコンフレームがＰＮＣから各端末に送信されると、各端末は、ビーコンフレームの終点（送信完了時点）を基準に同期を取る。図１の例では、端末Ａ〜端末Ｄまでの４つある。この４つの端末がビーコンフレームから次のビーコンフレームまでの間の送信可能時間を分割して占有している。つまり、ビーコンフレームの終点から所定の時間までが端末Ａの送信許可時間、端末Ａの送信許可時間の終点から所定の時間までが端末Ｂの送信許可時間、端末Ｂの終点から所定の時間までが端末Ｃの送信許可時間、端末Ｃの終点から次のビーコンフレームの始点（送信開始時点）までが端末Ｄの送信許可時間となっている。
【００１４】
ＰＮＣで送信したビーコンフレームの送信完了時点は、端末Ａや端末Ｂまでの伝送遅延による誤差を除けば、端末Ａや端末Ｂで受信したビーコンフレームの受信完了時点と等しくなる。図２に、ビーコンフレームの送信完了時点と受信完了時点との関係を示す。図２から分かるように、ＰＮＣで送信したビーコンフレームの送信開始時点と端末Ａや端末Ｂで受信したビーコンフレームの受信開始時点も等しくなる。また、背景技術で説明したように、ビーコンフレームを復調及び検査処理が完了する時点は、送信完了時点（又は受信完了時点）より遅れる。なお、送信完了時点（又は受信完了時点）は、伝送路からビーコンフレームが消えた時点であり、検波器等で測定することができる。
【００１５】
本実施の形態に係る通信装置では、ビーコンフレームの送信完了時点で仮同期を行い、復調及び検査処理において、受信したビーコンフレームが各端末において同期を取るための正規のビーコンフレームであり、且つ正しく受信されたと判断された場合には、仮同期を本同期に置き換える。逆に、復調及び検査処理において、受信したビーコンフレームが各端末において同期を取るための正規のビーコンフレームでない場合や、正しく受信されなかったと判断された場合には、仮同期を破棄する。
【００１６】
図３に、本実施の形態に係る端末のタイミングチャートを示す。図３では、まずビーコンフレームの受信３０１を行い、その完了時点で仮同期を行う。端末は、ビーコンフレームの受信３０１を行うと、順次、復調３０２及び検査３０３の処理を行う。そのため、仮同期時３０４では、復調３０２及び検査３０３の処理が完了しておらず、仮同期時３０４から一定の時間経過後に検査が終了することになる。また、復調３０２及び検査３０３の処理を経なければ、端末の同期に必要な正規のビーコンフレームか否かを判定することも、端末がビーコンフレームを正しく受信したことも判定することができない。
【００１７】
そこで、検査３０３の処理が完了した検査完了時３０５で、受信３０１したビーコンフレームが、正規のビーコンフレームで、且つ正しく受信したか否かを判断する。検査完了時３０５の判断において、正規のビーコンフレームで、且つ正しく受信したと判断される場合は、仮同期を本同期に置き換え、正規のビーコンフレームでない、又は正しく受信していないと判断される場合は、仮同期を破棄する。
【００１８】
次に、本実施の形態に係る通信装置において、同期の処理を行う部分について説明する。図４に、本実施の形態に係る端末の同期処理を行う部分のブロック図を示す。図４に示す端末では、アンテナ４０１で受信したビーコンフレームが復調ブロック４０４で処理され、その後フレームバッファ４０９及びフレーム検査器４１０に入力される。復調ブロック４０４は、ＬＮＡ（Low Noise Amp）４０２及びフィルタ４０３、ドライバ４０５、ＡＤ変換４０６、ＦＦＴ（Fast Fourier Transform）４０７、検波器４０８で構成されている。そして、復調ブロック４０４に入力されたビーコンフレームは、ＬＮＡ４０２で増幅されてフィルタ４０３を通過した後に、一方はドライバ４０５に入力され、他方は検波器４０８に入力される。
【００１９】
検波器４０８に入力されたビーコンフレームは、検波器４０８においてビーコンフレームの終点が検出され、当該検出された情報が受信完了信号として副タイマ４１４に入力される。副タイマ４１４は、受信完了信号が入力されるとタイマがリセットされる。全ての端末において副タイマ４１４がリセットされることにより、各端末の仮同期が取られることになる。図３に示すタイミングチャートでは、仮同期時３０４の処理が、副タイマ４１４のリセットに該当する。
【００２０】
次に、ドライバ４０５に入力されたビーコンフレームは、増幅されＡＤ変換４０６及びＦＦＴ４０７を通過することで復調される。図３に示すタイミングチャートでは、受信したビーコンフレーム３０１から遅れて、復調３０２の処理が行われている様子が示されている。仮同期時３０４には、復調３０２の処理がまだ終了していない。
【００２１】
ビーコンフレームが復調されると、一方がフレームバッファ４０９に、他方がフレーム検査器４１０に入力される。復調されたビーコンフレームが、フレーム検査器４１０に入力されると、検査の処理が行われる。図３に示すタイミングチャートでは、復調３０２の処理に遅れて、検査３０３の処理が行われている様子が示されている。復調３０２の処理の終了時には、検査３０３の処理がまだ終了していない。
【００２２】
検査３０３の処理が終了し、フレーム検査器４１０において、受信したビーコンフレームが、正規のビーコンフレームで、且つ正しく受信したと判断した場合、フレーム検査器４１０は、複数のＡＮＤ回路で構成されたゲートである更新セレクタ４１３にEnableの検査正常完了信号を送信する。更新セレクタ４１３では、Enableの検査正常完了信号を受信すると、副タイマ４１４の値を正タイマ４１１に上書きすることで、副タイマ４１４の値を正タイマ４１１の値とする。これにより、各端末は、仮同期した時点を本同期として取り扱うことができる。
【００２３】
なお、本実施の形態に係る端末では、正タイマ４１１及び副タイマ４１４の２つのタイマを備えているが、端末間の送受信のタイミングは正タイマ４１１により制御されている。また、正タイマ４１１及び副タイマ４１４は、基本的に同じ動作をするタイマで構成されている。
【００２４】
図５に、本実施の形態に係る端末の同期処理のフローチャートを示す。図５では、同期処理が開始されると（ステップ５０１）、ステップ５０２においてビーコンフレームの受信が開始されたか否かを判定する。ステップ５０２でNoと判定されると、再度ステップ５０２の処理が行われ、ビーコンフレームが受信されるのを待機する。ビーコンフレームが受信され、ステップ５０２でYesと判定されると、復調の処理が開始される（ステップ５０３）。さらに、ステップ５０３に続いて、復調されたビーコンフレームに対して検査の処理が開始される（ステップ５０４）。そして、ビーコンフレームの終点まで復調及び検査の処理を繰り返す（ステップ５０５〜ステップ５０６）。
【００２５】
端末がビーコンフレームの終点まで受信し受信が完了すると、受信完了信号が発信される（ステップ５０７）。受信完了信号により、副タイマ４１４はリセットされ仮同期の処理が行われる（ステップ５０８）。仮同期を行った後に、ビーコンフレームの終点までの復調処理が完了し（ステップ５０９）、さらに、その後にビーコンフレームの終点までの検査処理が完了する（ステップ５１０）。そして、ステップ５１１において、検査の結果が、正規のビーコンフレームで、且つ正しく受信したか否かについて判断する。
【００２６】
検査の結果が、正規のビーコンフレームで、且つ正しく受信した場合は、仮同期を本同期に設定する（ステップ５１２）。逆に、検査の結果が、正規のビーコンフレームでない場合や、正しく受信していない場合には、仮同期を破棄する（ステップ５１３）。
【００２７】
以上のように、本実施の形態に係る通信装置では、同期フレームであるビーコンフレームを受信完了した時点で副タイマ４１４をリセットすることで仮同期を取り、その後ビーコンフレームの内容を確認した後に、副タイマ４１４の値を正タイマ４１１に上書きして仮同期を本同期に設定するので、誤った同期の処理を行うことなく、且つ同期までの無駄な時間を削減することができる。
【００２８】
（実施の形態２）
実施の形態１では、副タイマと正タイマの２つのタイマは常に動作している。しかし、副タイマは、仮同期の処理を行った後、仮同期を破棄するか本同期に上書きするまでの間しか必要とされていない。そのため、本実施の形態に係る通信装置では、副タイマが必要な時間のみ駆動する構成とする。
【００２９】
図６に、本実施の形態に係る端末の同期処理を行う部分のブロック図を示す。図６に示す端末では、アンテナ６０１で受信したビーコンフレームが復調ブロック６０４で処理され、その後フレームバッファ６０９及びフレーム検査器６１０に入力される。復調ブロック６０４は、ＬＮＡ６０２及びフィルタ６０３、ドライバ６０５、ＡＤ変換６０６、ＦＦＴ６０７、検波器６０８で構成されている。そして、復調ブロック６０４に入力されたビーコンフレームは、ＬＮＡ６０２で増幅されてフィルタ６０３を通過した後に、一方はドライバ６０５に入力され、他方は検波器６０８に入力される。
【００３０】
検波器６０８に入力されたビーコンフレームは、検波器６０８においてビーコンフレームの終点が検出され、当該検出された情報が、受信完了信号として副タイマ６１４とラッチ６１５に入力される。副タイマ６１４は、受信完了信号が入力されるとタイマがリセットされる。一方、ラッチ６１５は、受信完了信号が入力されると副タイマ６１４を動作させるEnable信号を副タイマ６１４に供給する。つまり、受信完了信号により、副タイマ６１４は、動作が開始し、リセットされる。これにより、各端末の仮同期を取ることが可能になる。
【００３１】
次に、ドライバ６０５に入力されたビーコンフレームは、増幅されＡＤ変換６０６及びＦＦＴ６０７を通過することで復調される。ビーコンフレームが復調されると、一方がフレームバッファ６０９に、他方がフレーム検査器６１０に入力される。復調されたビーコンフレームが、フレーム検査器６１０に入力されると、検査の処理が行われる。
【００３２】
検査の処理が終了し、フレーム検査器６１０において、受信したビーコンフレームが、正規のビーコンフレームで、且つ正しく受信したと判断した場合、フレーム検査器６１０は、更新セレクタ６１３とラッチ６１５に検査正常完了信号を送信する。更新セレクタ６１３では、Enableの検査正常完了信号を受信すると、副タイマ６１４の値を正タイマ６１１に上書きすることで、副タイマ６１４の値を正タイマ６１１の値に設定する。これにより、各端末は、仮同期した時点を本同期として取り扱うことができる。また、ラッチ６１５では、検査正常完了信号を受信するとリセットされ、副タイマ６１４の動作を停止させる。
【００３３】
以上のように、副タイマ６１４を図３に示す仮同期時３０４から検査完了時３０５まで動作するように構成することで、端末の無駄な動作を削減することができ消費電力を低減することができる。
【００３４】
さらに、副タイマ６１４でカウントする値は、正タイマ６１１でカウントする値より短いと考えられる。例えば、IEEE802.15.3（UWB:Ultra Wide BandのMAC規格）を考えると本同期がカウントする最大周期は65,535μｓであるが、副タイマ６１４がカウントする時間は多くても数μｓ〜数十μｓ以内である。そのため、副タイマ６１４は、正タイマ６１１のタイマのカウント可能サイズより小さくすることができる。
【００３５】
つまり、副タイマ６１４でカウントできる桁数は、正タイマ６１１と同じ桁数確保する必要はなく、必要最小限の桁数を確保すればよい。例えば、図７に示すように、正タイマ６１１のカウント可能桁数を１６ビット確保して、副タイマのカウント可能桁数を４ビット確保する。そして、正タイマ６１１と副タイマ６１４の各ビットは、それぞれ更新セレクタ６１３で接続されており、Enableの検査正常完了信号が各更新セレクタ６１３に供給されると、副タイマ６１４の各ビットの内容が、正タイマ６１１の各ビットに上書きされる。但し、副タイマ６１４の先頭桁（左端）は、常に”０”であり、検査正常完了信号が更新セレクタ６１３に供給されると、副タイマ６１４の各ビットと対応していない正タイマ６１１の各ビット（上位の桁）には”０”が上書きされる。
【００３６】
以上のように、本実施の形態では、副タイマ６１４が、正タイマ６１１のカウント可能サイズより小さくするので、カウントするための無駄なメモリを確保する必要がなく、装置を簡略化することができる。
【００３７】
（実施の形態３）
実施の形態１また実施の形態２では、仮同期をビーコンフレームの終点（受信完了時点）で行っていたが、本発明はこれに限られない。例えば、ビーコンフレームの始点（受信開始時点）や、ビーコンフレームの始点から所定の時間経過した時点で仮同期を取るように構成しても、本発明は成立する。
【００３８】
以下では、具体的に、ビーコンフレームの始点で仮同期を取る場合について説明する。図８に、本実施の形態に係る端末のタイミングチャートを示す。図８では、まずビーコンフレームの受信３０１を行い、その開始時点で仮同期を行う。端末は、ビーコンフレームの受信３０１を行うと、順次、復調３０２及び検査３０３の処理を行う。そのため、仮同期時３０６では、復調３０２及び検査３０３の処理がまだ開始されておらず、仮同期時３０６から一定の時間経過後に復調３０２が開始され、さらにその後に検査３０３が開始されることになる。
【００３９】
本実施の形態でも、検査３０３の処理が完了した検査完了時３０５で、受信３０１の処理を行ったビーコンフレームが、正規のビーコンフレームで、且つ正しく受信したか否かを判断する。検査完了時３０５の判断において、正規のビーコンフレームで、且つ正しく受信したと判断される場合は、仮同期を本同期に置き換え、正規のビーコンフレームでない、又は正しく受信していないと判断される場合は、仮同期を破棄する。
【００４０】
図９に、本実施の形態に係る端末の同期処理を行う部分のブロック図を示す。図９に示す端末では、アンテナ９０１で受信したビーコンフレームが復調ブロック９０４で処理され、その後フレームバッファ９０９及びフレーム検査器９１０に入力される。復調ブロック９０４は、ＬＮＡ９０２及びフィルタ９０３、ドライバ９０５、ＡＤ変換９０６、ＦＦＴ９０７、検波器９０８で構成されている。そして、復調ブロック９０４に入力されたビーコンフレームは、ＬＮＡ９０２で増幅されてフィルタ９０３を通過した後に、一方はドライバ９０５に入力され、他方は検波器９０８に入力される。
【００４１】
検波器９０８に入力されたビーコンフレームは、検波器９０８においてビーコンフレームの始点が検出され、当該検出された情報が受信開始信号として副タイマ９１４とラッチ９１５に入力される。副タイマ９１４は、受信開始信号が入力されるとタイマがリセットされる。一方、ラッチ９１５は、受信開始信号が入力されると副タイマ９１４を動作させるEnable信号を副タイマ９１４に供給する。つまり、受信開始信号により、副タイマ９１４は、動作が開始し、リセットされる。これにより、各端末の仮同期を取ることが可能になる。
【００４２】
次に、ドライバ９０５に入力されたビーコンフレームは、増幅されＡＤ変換９０６及びＦＦＴ９０７を通過することで復調される。ビーコンフレームが復調されると、一方がフレームバッファ９０９に、他方がフレーム検査器９１０に入力される。復調されたビーコンフレームが、フレーム検査器９１０に入力されると、検査の処理が行われる。
【００４３】
検査の処理が終了し、フレーム検査器９１０において、受信したビーコンフレームが、正規のビーコンフレームで、且つ正しく受信したと判断した場合、フレーム検査器９１０は、更新セレクタ９１３とラッチ９１５に検査正常完了信号を送信する。更新セレクタ９１３では、Enableの検査正常完了信号を受信すると、副タイマ９１４の値を正タイマ９１１に上書きすることで、副タイマ９１４の値を正タイマ９１１の値とする。これにより、各端末は、仮同期した時点を本同期として取り扱うことができる。また、ラッチ９１５では、検査正常完了信号を受信するとリセットされ、副タイマ９１４の動作を停止させる。
【００４４】
なお、上記で説明したように受信開始信号や受信完了信号によって、副タイマ９１４をリセットさせる必要はなく、全ての端末において共通するタイミングでリセットすれば良い。例えば、検査正常完了信号によってリセットすることも考えられる。検査正常完了信号で副タイマ９１４をリセットする場合、副タイマ９１４は、リセットされた状態で停止することになり、次のビーコンフレームを受信した際に、常にリセットされた状態から動作が開始される。
【００４５】
図１０に、本実施の形態に係る端末のフローチャートを示す。図１０では、同期処理が開始されると（ステップ１０１）、ステップ１０２においてビーコンフレームの受信が開始されたか否かを判定する。ステップ１０２でNoと判定されると、再度ステップ１０２の処理が行われ、ビーコンフレームを受信するのを待機する。ビーコンフレームが受信され、ステップ１０２でYesと判定されると、受信開始信号が発信され仮同期の処理が行われる（ステップ１０３）。その後、ビーコンフレームに対して復調の処理が開始される（ステップ１０４）。さらに、ステップ１０４に続いて、復調されたビーコンフレームに対して検査の処理を開始（ステップ１０５）。そして、ビーコンフレームの終点まで復調と検査の処理を繰り返す（ステップ１０６〜ステップ１０７）。
【００４６】
端末がビーコンフレームの終点まで受信し受信が完了すると、受信完了信号が発信される（ステップ１０８）。そして、ビーコンフレームの終点までの復調処理が完了し（ステップ１０９）、さらに、その後にビーコンフレームの終点までの検査処理が完了する（ステップ１１０）。そして、ステップ１１１において、検査の結果が、正規のビーコンフレームで、且つ正しく受信したか否かについて判断する。
【００４７】
検査の結果が、正規のビーコンフレームで、且つ正しく受信した場合は、仮同期を本同期に設定する（ステップ１１２）。逆に、検査の結果が、正規のビーコンフレームでない場合や、正しく受信していない場合には、仮同期を破棄する（ステップ１１３）。
【００４８】
以上のように、本実施の形態に係る通信装置では、同期フレームであるビーコンフレームを受信開始した時点で副タイマ４１４をリセットすることで仮同期を取り、その後ビーコンフレームの内容を確認した後に、副タイマ４１４の値を正タイマ４１１に上書きして仮同期を本同期に設定するので、誤った同期の処理を行うことなく、且つ同期までの無駄な時間を削減することができる。
【図面の簡単な説明】
【００４９】
【図１】本発明の実施の形態１に係る通信装置のタイミングチャートである。
【図２】本発明の実施の形態１に係る通信装置のタイミングチャートである。
【図３】本発明の実施の形態１に係る通信装置のタイミングチャートである。
【図４】本発明の実施の形態１に係る通信装置の端末のブロック図である。
【図５】本発明の実施の形態１に係る通信装置のフローチャートである。
【図６】本発明の実施の形態２に係る通信装置の端末のブロック図である。
【図７】本発明の実施の形態２に係る通信装置のタイマのブロック図である。
【図８】本発明の実施の形態３に係る通信装置のタイミングチャートである。
【図９】本発明の実施の形態３に係る通信装置の端末のブロック図である。
【図１０】本発明の実施の形態３に係る通信装置のフローチャートである。
【符号の説明】
【００５０】
３０１  受信、３０２  復調、３０３  検査、３０４，３０６  仮同期時、３０５  検査完了時、４０１，６０１，９０１  アンテナ、４０２，６０２，９０２  ＬＮＡ、４０３，６０３，９０３  フィルタ、４０４，６０４，９０４  復調ブロック、４０５，６０５，９０５  ドライバ、４０６，６０６，９０６  ＡＤ変換、４０８，６０８，９０８  検波器、４０９，６０９，９０９  フレームバッファ、４１０，６１０，９１０  フレーム検査器、４１１，６１１，９１１  正タイマ、４１３，６１３，９１３  更新セレクタ
４１４，６１４，９１４  副タイマ、６１５，９１５  ラッチ。
【図１】
2005354244.tif 000003
【図２】
2005354244.tif 000004
【図３】
2005354244.tif 000005
【図４】
2005354244.tif 000006
【図５】
2005354244.tif 000007
【図６】
2005354244.tif 000008
【図７】
2005354244.tif 000009
【図８】
2005354244.tif 000010
【図９】
2005354244.tif 000011
【図１０】
2005354244.tif 000012